(57)【特許請求の範囲】
【請求項１】
円孔状の収容部（３３）の内底に円形のインク吸蔵マット（３６）が敷設されたスタンド（３０）を備えたゴム印判であって、
印字部形状が角形の印字体（３）と、印字体（３）を支持する印面台（２）と、印面台（２）が装着される本体部（１）とを備えており、
印面台（２）は、印字体（３）が装着される四角形状の座壁（１２）と、座壁（１２）の四隅下面から下向きに突設されて、印字体（３）の捺印変形限界を規定する規制脚（１５）とを含み、
スタンド（３０）の収容部（３３）に収納した状態において、各規制脚（１５）がインク吸蔵マット（３６）の周縁を跨いで収容部（３３）の底部（４０）と対向するように設けてあることを特徴とする角形の印字体を備えたゴム印判。
【請求項２】
印面台（２）の座壁（１２）の上部に、本体部（１）で上下スライド自在に案内支持されるスライド枠部（１３）が一体に設けられており、
本体部（１）に対してスライド枠部（１３）が、脱落不能に、しかし往復スライドは可能に装着されており、
印字体（３）が、座壁（１２）に固定される固定印字体（４）と、本体部（１）側に設けられて、印字内容を変更できる可変印字体（５）とからなる請求項１記載の角形の印字体を備えたゴム印判。  
【発明の詳細な説明】
【０００１】
【発明の属する技術分野】
不使用時にゴム印判を立てておく手段として、円孔状の収容部の内底に、円形のインク吸蔵マットを敷設した形態の丸形ゴム印判用のスタンドがある。この発明は、この種のスタンドに起立収納されるゴム印判、とくに印字体が四角形状に形成されるゴム印判に関する。
【０００２】
【従来の技術】
スタンドと、その収容部に起立収納される丸形の日付印との関係構造は、実公平１−２１８１７号公報や実開平１−１７４１６３号公報等に公知である。また、日付印の印字体を四角形状に形成することも公知である。
【０００３】
日付印の印字体は、年月日等を印字する可変印字体と、印字内容が変わらない固定印字体とからなる。固定印字体は印面台に固定してあり、印面台を本体部に対してスライド変位することにより、可変印字体の印字要素である印字ベルトを回転操作できる。捺印時における印字体の圧縮度合、即ち捺印変形限界を適量化するために、印面台の周囲に環状の規制壁が突設されており、各印字体の印面は規制壁の下端面より僅かに突出している。
【０００４】
因みに、日付印の固定印字体の形状は、本来的に丸、角、花形など任意形状に形成できるが、殆どの場合は有効印面面積が最も大きな丸形（円形）とし、正方形や長方形などの角形とすることは稀である。しかし、特定の国においては、逆に角形の日付印が多用され、丸形の日付印は稀でしかない状況にある。
【０００５】
【発明が解決しようとする課題】
上記のような角形の日付印をスタンドに起立収納する場合には、規制壁へのインクの付着を避けるために、収容部およびインク吸蔵マットの形状をそれぞれ角形にせざるを得ない。しかし、丸形の日付印が圧倒的に使用される日本国内において、角形日付印用の専用スタンドを製造しても、その需要量が極端に少ないので、結果的に製造コストが高く付く。
【０００６】
そこで本発明者は、需要が多い丸形の日付印用のスタンドでありながら、角形の日付印のスタンドとしても用いることができる形態を検討した。問題は、角形の日付印の印面台に、丸形の印面台と同様に四角環状の規制壁を設けた場合に、規制壁が円形のインク吸蔵マットと接触し、捺印時に規制壁に付着のインクが紙面へ転写される点にある。
【０００７】
上記の問題点を克服するために、丸形の日付印に用いられる印面をそのまま利用して角形の固定印字体を印面台に接着することを考えた。しかし、この場合は、規制壁が円形になるので、固定印字体の直線辺部を捺印すべき位置に位置合わせするのが難しい点で、使い勝手に問題がある。
【０００８】
この発明の目的は、角形の日付印等のゴム印判の印面台の構造を改良して、丸形のゴム印判用に構成されたスタンドを、角形のゴム印判のスタンドとしてそのまま流用できるようにし、以てユーザーのコスト負担を軽減することにある。この発明の他の目的は、四角形状に形成される印面台の直線辺部を利用して、捺印時の位置決めが行え、従って位置ずれや傾きを生じることもなく適確に印字を行えるゴム印判、とくに角形の日付印を提供することにある。
【０００９】
【課題を解決するための手段】
この発明のゴム印判は、図２および図５に示すごとく印字部形状が角形の印字体３と、印字体３を支持する印面台２と、印面台２が装着される本体部１とを備えている。印面台２は、図５に示すごとく印字体３が装着される四角形状の座壁１２と、座壁１２の周囲複数個所から下向きに突設されて、印字体３の捺印変形限界を規定する規制脚１５とからなる。そして、図６に示すごとく丸形のゴム印判を起立収納するスタンド３０の収容部３３に、上記のゴム印判を収納した状態において、前記規制脚１５が、前記収容部３３の内底に設けられたインク吸蔵マット３６の周縁より外の底部４０と対向するように設ける。
【００１０】
具体的には、座壁１２の四隅下面に、インク吸蔵マット３６の周縁を跨いで底部４０と対向する規制脚１５を突設する。あるいは、座壁１２の四周辺部の複数辺部に、インク吸蔵マット３６の周縁を跨いで底部４０と対向する規制脚１５を突設してもよい。
【００１１】
印面台２の座壁１２の上部には、本体部１で上下スライド自在に案内支持されるスライド枠部１３を一体に設ける。本体部１に対してスライド枠部１３は、脱落不能に、しかし往復スライドは可能に装着する。印字体３は、座壁１２に固定される固定印字体４と、本体部１側に設けられて、印字内容を変更できる可変印字体５とで構成する。
【００１２】
【発明の作用効果】
印面台２の規制脚１５は、スタンド３０のインク吸蔵マット３６の周縁より外に位置する底部４０と対向するように設けたので、ゴム印判をスタンド３０の収容部３３に起立収納した状態において、印面台２の外郭線がインク吸蔵マット３６の周縁を横切る位置関係になっているにもかかわらず、印面台２の下端壁がインク吸蔵マット３６に接触するのを確実に防止できる。従って、角形のゴム印判専用のスタンドを供給する場合に比べて、角形のゴム印判を使用するユーザーがスタンドを購入する際のコスト負担を軽減できるうえ、スタンドを共用できる分だけ在庫管理や流通の手間を軽減できる。また、収容部３３は丸形のゴム印判に対応して断面円形に形成してあるので、角形のゴム印判を収容部３３へ出し入れする際に、その前後、あるいは左右の向きを考慮する必要もなくゴム印判を出し入れでき、収容部３３の断面形状を四角形にした専用のスタンドに比べて、収容部３３へのゴム印判の出し入れが速やかにしかも簡便に行える。
【００１３】
印面台２はその座壁１２が四角形状に形成され、周面に直線辺部を有するので、直線辺部を捺印時の位置決め基準として利用でき、従って捺印された印形の前後・左右方向への位置ずれや、傾きを極力避けて、適切かつ確実に印字を行うことができる。
【００１４】
規制脚１５を座壁１２の四隅下面に突設したゴム印判によれば、印面台２の平面視形状を概ね四角形状のシンプルな形状として、印面台２を小形化できる。さらに、規制脚１５の横断面形状を例えばＬ字形ないし部分円弧状に形成して、その構造強度を向上することができる。
【００１５】
規制脚１５を座壁１２の辺部に突設したゴム印判によれば、規制脚１５の脚幅寸法を大きく設定できるので、とくに小形のゴム印判において規制脚１５の強度を十分なものとすることができるうえ、捺印時にゴム印判が先当りした規制脚１５を支点にしてグラつくのをよく防止できる。
【００１６】
座壁１２の上部にスライド枠部１３を一体に設け、印字体３を固定印字体４と可変印字体５とで構成したゴム、即ち日付印によれば、丸形の印面台と角形の印面台２とを択一的に選定するだけで、他の部品を丸形と角形の日付印に共通して使用でき、とくに角形の日付印を低コストで製造できる。
【００１７】
【実施例】
図１ないし図７は、この発明に係る角形の日付印（ゴム印判）の実施例を示す。図２ないし図４において日付印は、本体部１と、本体部１の下部に装着される印面台２と、印面台２の下面に設けられる印字体３などで構成されている。
【００１８】
印字体３は、印面台２に接着固定される固定印字体４と、本体部１側に組まれる可変印字体５とからなり、両印字体４・５の印面はインクを含漬できる多孔質のゴム浸透材で形成してある。可変印字体５は、年号表示用の２個の印字ベルト５ａと、月表示用の印字ベルト５ｂと、日表示用の２個の印字ベルト５ｃとからなる。各印字ベルト５ａ・５ｂ・５ｃは、門型の内フレーム６に軸支した操作ダイヤル７と、内フレーム６の下端に固定したブリッジ８とに巻き掛けられており、各操作ダイヤル７を回転操作することにより、印字内容を変更することができる。各印字ベルト５ａ・５ｂ・５ｃと、内フレーム６、操作ダイヤル７およびブリッジ８の外面は、前後に二分割された外フレーム９で覆われている。外フレーム９の上部にはグリップ１０を設ける。グリップ１０は可変印字体５の印面高さを調整するときの操作具を兼ねており、内フレーム６をねじを介して上下に調整操作できる。
【００１９】
図５において印面台２は、四角形状の座壁１２と、座壁１２の上面周縁に立設されるスライド枠１３と、座壁１２の下面辺部と四隅下面とにそれぞれ突設される擁壁１４と規制脚１５とが一体に成形したプラスチック成形品からなる。スライド枠１３の左右壁は上方に長く立ち上げ形成してあり、該左右壁の上部にビス挿通用の孔１６を設け、スライド枠１３の前後壁には切欠１７が形成してある。座壁１２の前後中央には、各印字ベルト５ａ・５ｂ・５ｃを下面側へ露出させるための窓口１８が通設してある。規制脚１５の座壁下面からの突出寸法は、擁壁１４の座壁下面からの突出寸法の２倍弱とする。座壁１２に固定した固定印字体４の印面は、規制脚１５の下端面より僅かに突出する。
【００２０】
固定印字体４が装着された印面台２のスライド枠１３を、外フレーム９の下端に外嵌し、孔１６および外フレーム９を貫通するビス１９とナット２０とでスライド枠１３をビス止めすることにより、印面台２は本体部１に対して脱落不能に、しかし上下スライドは可能に締結される。締結状態のままで印面台２の上下スライドを可能とするために、外フレーム９のビス用の挿通孔２１は上下に長い長孔に形成されている（図３参照）。印面台２を図３の想像線で示すように本体部１から遠ざかる上向きにスライド操作すると、窓口１８が各印字ベルト５ａ〜５ｃの下端から抜け出る。この状態で、各操作ダイヤル７が回転操作可能となり、任意の印字ベルト５ａ〜５ｃを手送り操作できる。
【００２１】
角形の日付印は、印字体３をスタンプ台に押し付けてその印面にインクを付着させ捺印するが、図６に示すスタンド３０に起立収納しておけば、日付印をスタンド３０から取り出すだけで即座に捺印できる。スタンド３０は、その殆どを占める縦筒状の上ケース３１と、上ケース３１の開口下面を塞ぐ下ケース３２とからなる。上ケース３１には日付印を起立収納する円孔状の収容部３３と、補充インク容器３４を収納するポケット４２とが、それぞれ上向きに開口する状態で設けてある。
【００２２】
図７において、収容部３３の内底には、円形の凹部３５を設けてあり、この凹部３５内にインク吸蔵マット３６が敷設されている。インク吸蔵マット３６の外周縁は、凹部３５に圧嵌装着されるリング状の押え枠３７で固定する。図６において、符号３８はインク補充口であり、３９はインク補充口３９の下面側を覆うキャップである。
【００２３】
上記のスタンド３０は丸形の日付印に対応しており、図１に示すようにインク吸蔵マット３６の周縁直径、即ち押え枠３７の上面壁の開口径が、丸形の日付印における円形の固定印字体の外直径より僅かに大きく、印面台２に設けられる環状の規制壁の内法直径より小さくなるように設定してある。丸形の日付印が収容部３３内で径方向へ遊動したり、あるいは傾動するような場合にも、規制壁の下面がインク吸蔵マット３６に接触するのを防ぐためである。
【００２４】
丸形の日付印等に構成された上記のスタンド３０を、角形の日付印のスタンドとしてそのまま流用するために、この実施例では座壁１２の四隅下面に限って規制脚１５を設け、これら４個の規制脚１５で印字体３の捺印変形限界を規定できるようにした。因みに、四角形の固定印字体４は、図１に示すように、インク吸蔵マット３６の円形周縁（押え枠３７の上面壁の開口縁）に内接する四角とほぼ同じか、これより日付印と収容部３３との間の遊動隙間分だけ小さな四角形とされ、座壁１２は固定印字体４よりひと回り大きな四角形にする。一方で、印面台２の対角寸法は、収容部３３の直径寸法より小さくする必要があり、そのため座壁１２の直線辺部の下面に突出する擁壁１４は、平面から見てインク吸蔵マット３６の円形周縁を横切る位置関係にならざるを得ない。
【００２５】
上記の条件下で、印字体３以外の部分がインク吸蔵マット３６に接触するのを防ぐために、インク吸蔵マット３６の円形周縁を跨いで、収容部３３の底部４０とのみ対向する位置、即ち底壁１２の四隅下面に規制脚１５を設けている。規制脚１５はコーナー壁であることを利用して断面円弧状に形成するので、曲げ力や座屈力に対してより大きな耐荷重を発揮する。なお、先の底部４０とは、押え枠３７の上面壁を含む収容部３３の内底面を意味する。規制脚１５の断面形状はＬ字形や等脚台形状等に形成でき、必要に応じて丸軸状あるいは角軸状に形成することができる。
【００２７】
スタンド３０は、日付印を起立収納できる構造であれば、外観や収納構造の違いは無視できるので、実施例で説明した構造には限定されない。この発明は、日付印以外のゴム印判、例えば印字体３が固定印字体のみで形成され、しかも規制脚を備えている住所印や社名印等のゴム印判にも適用できる。
【図面の簡単な説明】
【図１】規制脚とインク吸蔵マットとの関係を示す横断平面図
【図２】全体の正面図
【図３】全体の一部切り欠き縦断側面図
【図４】全体の一部切り欠き縦断正面図
【図５】印面台の斜視図
【図６】スタンドの一部切り欠き縦断正面図
【図７】スタンドの要部の縦断正面図
【符号の説明】
１  本体部
２  印面台
３  印字体
４  固定印字体
５  可変印字体
１５  規制脚
３０  スタンド
３３  収容部
３６  インク吸蔵マット
３７  押え枠
４０  スタンドの底部
【図１】
0003642408.tif 000002
【図２】
0003642408.tif 000003
【図３】
0003642408.tif 000004
【図４】
0003642408.tif 000005
【図５】
0003642408.tif 000006
【図６】
0003642408.tif 000007
【図７】
0003642408.tif 000008